(57)【要約】  口腔用製品のホルダ装置（１）は、口腔用たばことしてのパウチ（２）を収容するケースボディ（５）と、このケースボディ（５）を開閉可能に覆うカバー（１０）とを備え、ケースボディ（５）はその内部が仕切り壁（６）によってパウチ（２）を個々に収容する収容室（７）に区画されている。
2011108385.tif 000002
【特許請求の範囲】
【請求項１】
ユーザの口腔内に置かれて使用されるべき多数の口腔用製品と、
前記口腔用製品を互いに接触させることなく配置し且つ互いに所定の間隔を存して保持するホルダと
を備え、
前記ホルダは、
容器と、
この容器内に配置され、前記容器の内部を前記口腔用製品が個々に収容可能な収容室に区画する多数の仕切り壁と
を含むことを特徴とする口腔用製品のホルダ装置。
【請求項２】
前記容器は、
円筒形のケースボディであって、その上面及び外周面の一方を開口させた開口面を有し、前記収容室が前記ケースボディの内部にて前記仕切り壁により放射状に区画され、前記開口面側からアクセス可能な開口を有する、ケースボディと、
前記ケースボディの前記開口面を覆い且つ前記ケースボディの周方向に回転自在な円筒形のカバーと、
前記カバーに形成され、その回転に伴い、前記収容室の１つへのアクセスを可能とする開閉可能な取り出し口と
を含むことを特徴とする請求項１に記載の口腔用製品のホルダ装置。
【請求項３】
前記ホルダは、前記カバーの回転方向を一方向に制限するラチェット機構を更に含むことを特徴とする請求項２に記載の口腔用製品のホルダ装置。
【請求項４】
前記ホルダは、前記収容室の開口全域を覆う一方、個々の収容室内の口腔用製品を前記ケースボディから露出可能とするシール要素を更に含むことを特徴とする請求項２に記載の口腔用製品のホルダ装置。
【請求項５】
前記シール要素は、前記ケースボディの前記開口面全域を開閉可能に覆うべく前記ケースボディに引き剥がし可能に貼り付けられ、且つ、前記カバー外に引き出し可能な引き出しシートを含むことを特徴とする請求項４に記載の口腔用製品のホルダ装置。
【請求項６】
前記容器は、
長尺なボックス形状のアウタケースと、
前記アウタケース内に少なくとも１個引出し可能に収容された長尺なインナケースであって、上面及び側面の一方を開口させた開口面を有するインナケースと
を有し、
前記仕切り壁は、前記インナケース内に個々の収容室を区画すべくその長手方向に間隔を存して配置されていることを特徴とする請求項１に記載の口腔用製品のホルダ装置。
【請求項７】
前記ホルダは、前記インナケースに貼り付けられ、個々の収容室を開閉可能に覆う開閉シールを更に含むことを特徴とする請求項６に記載の口腔用製品のホルダ装置。
【請求項８】
前記容器は、前記アウタケース内に上下２段にして収容可能なインナケースを有することを特徴とする請求項６に記載の口腔用製品のホルダ装置。
【請求項９】
前記ホルダは、前記開口面全域を覆う一方、個々の収容室内の口腔用製品を前記インナケースから露出可能とするシール要素を更に含むことを特徴とする請求項６に記載の口腔用製品のホルダ装置。
【請求項１０】
前記シール要素は、前記インナケースの開口面全域を開閉可能に覆うべく前記インナケースに引き剥がし可能に貼り付けられ、且つ、前記アウタケース外に引き出し可能な引き出しシートを含むことを特徴とする請求項９に記載の口腔用製品のホルダ装置。
【請求項１１】
前記引き出しシートは、前記アウタケースの前記開口端に固定された先端を有することを特徴とする請求項１０に記載の口腔用製品のホルダ装置。
【請求項１２】
前記引き出しシートは、前記アウタケースの前記開口端から引き出された引き手を有することを特徴とする請求項１０に記載の口腔用製品のホルダ装置。
【請求項１３】
前記シール要素は、前記アウタケースの外面に配置され、前記引き出しシートを切断可能なカッタを更に含むことを特徴とする請求項９に記載の口腔用製品のホルダ装置。
【請求項１４】
前記容器は、
長尺なロアベースであって、その一端部のみに上方に向けて開口し且つ前記口腔用製品を１個のみ収容可能な取り出し室を有するロアベースと、
前記ロアベースに摺動可能に重ね合わされ、前記ロアベースに沿って延びるアッパケースであって、その下面を開口させた開口面を有し、前記収容室がアッパケース内に前記仕切り壁によりその長手方向に並んで配置され、且つ、前記収容室に対して前記開口面側からアクセス可能である、アッパケースとを含み、
個々の前記収容室は、前記アッパケースの摺動位置に応じて前記取り出し室に合致可能であることを特徴とする請求項１に記載の口腔用製品のホルダ装置。
【請求項１５】
前記ホルダは、前記開口面全域を覆う一方、個々の前記収容室内の口腔用製品を前記アッパケースから露出可能とするシール要素を更に含むことを特徴とする請求項１４に記載の口腔用製品のホルダ装置。
【請求項１６】
前記シール要素は、前記アッパケースの前記開口面全域を開閉可能に覆うべく前記アッパケースに引き剥がし可能に貼り付けられた引き出しシートを含むことを特徴とする請求項１５に記載の口腔用製品のホルダ装置。
【請求項１７】
前記引き出しシートは引き手を有し、
前記ロアベースは、前記取り出し室の近傍に前記引き手を前記ロアベースの下面側に引き出すスリットを有することを特徴とする請求項１６に記載の口腔用製品のホルダ装置。
【請求項１８】
前記ロアベース内に回転可能に配置され、前記アッパケースの摺動に連動して前記引き出しシートの巻取り又は送り出しをなすリールを更に含むことを特徴とする請求項１６に記載の口腔用製品のホルダ装置。
【請求項１９】
前記容器の内面は、防水処理されていることを特徴とする請求項１に記載の口腔用製品のホルダ装置。
【請求項２０】
前記口腔用製品は、たばこ原料からなるたばこ粒と、このたばこ粒を包み込んだ包材とを含み、ユーザの口腔内に置かれたとき、唾液を通じてたばこ成分をユーザに吸収させることを特徴とする請求項１に記載の口腔用製品のホルダ装置。
【発明の詳細な説明】
【技術分野】
【０００１】
本発明は、口腔用製品のホルダ装置に係り、詳しくは、口腔用製品を衛生的に保ち且つ取り出し易いホルダ装置に関する。
【背景技術】
【０００２】
従来、ガム等の固形の口腔用製品が収容される保管容器が知られている。この種の保管容器の１つに、特許文献１に開示された保管容器が知られている。詳しくは、保管容器は、多数の口腔用製品が収容されるケースボディと、このケースボディにそれぞれ形成され、口腔用製品の摘み出しを可能にする大きな摘み出し開口及び口腔用製品の振り出しを可能にする小さな振り出し開口と、これら開口をそれぞれ開閉可能な大きさの異なるリッドとを備えている。【０００３】
それ故、ユーザは、ケースボディから振り出し開口を通じて口腔用製品を取り出す際、保管容器を逆さまにして、即ち、振り出し開口を下に向けて開き、この状態で保管容器を振ることで、振り出し開口から製品を手のひらに落下させる。
また、口腔用製品の一種として口腔用たばこが知られており、この口腔用たばこは着火をされずにユーザにたばこ成分を吸収させるものである。この口腔用たばこのひとつであるスヌース（SNUS）は、たばこ原料を細かく裁断して得たたばこ刻を主成分として有し、このたばこ刻は多くの水分を含んでいる。詳しくは、スヌースは、たばこ刻が包装されていないルースタイプと、たばこ刻が不織布等の包材で包装されたポーションタイプ、所謂、パウチタイプとに分類される。【０００４】
パウチタイプのスヌースの場合、ユーザはスヌースを口腔内に直接入れて上唇と歯茎との間に挟み込み、その芳香を楽しむ一方、唾液中に抽出されたたばこ刻のたばこ成分を歯茎から体内に吸収する。
このようなスヌースが保管されるための保管容器の１つに、特許文献２に開示された保管容器が知られている。この特許文献２の保管容器は、その内部に移動可能な仕切り壁を有し、使用前と使用後のスヌースとを分けて収容することができる。【０００５】
一方、特許文献３に開示されたスヌースの保管容器は、多数のスヌースを収容するケースボディと、このケースボディ内に形成され、ケースボディ内を延びる隔壁により区画された複数の収容室と、これら収容室の開口面を剥離可能に覆う開閉シールとを含んでいる。
【先行技術文献】
【特許文献】
【０００６】
【特許文献１】JP 2007-238128 A
【特許文献２】WO 2008/066450 A1
【特許文献３】US 2010/0018883 A1
【発明の概要】
【発明が解決しようとする課題】
【０００７】
上述の特許文献１に開示される保管容器の場合、振り出し開口から一度に複数の口腔用製品が振り出されることもあり、ユーザは口腔用製品を１つずつ確実に取り出すことができない。この場合、ユーザは、余分に取り出された製品を手で掴み、摘み出し開口を通じてケースボディ内に戻さなければならない。【０００８】
また、ケースボディ内に口腔用製品が戻されれば、ユーザの手で触られた口腔用製品はケースボディ内の他の口腔用製品とも接触することになる。このように口腔用製品が戻されることは衛生上好ましくない。
更に、軟らかい又は変形しやすい口腔用製品においても、これら口腔用製品はケースボディ内に乱雑に収容されていることから、振り出し開口に口腔用製品を１つだけ確実に配置することができない。【０００９】
また、上述の特許文献２に開示される保管容器は、口腔用製品をその使用の前後で分けて収容することができるだけである。また、特許文献３に開示される保管容器であっても、保管容器内の複数の収容室それぞれに複数の口腔用製品が収容可能なだけである。即ち、口腔用製品の保管中、使用前の個々の口腔用製品は互いに接触した状態で収容室、即ち、保管容器内に収容されている。また、これらの口腔用製品は、その保管中、保管容器内で互いにくっつき合って塊になることがある。【００１０】
更に、口腔用製品がパウチタイプのスヌースである場合、そのたばこ刻が多くの水分を含んでいるため、その保管中、そのたばこ成分が水分とともにパウチの外面、即ち、不織布等に染み出すことがある。それ故、スヌースが互いに接触した状態で保管容器に収容されていると、たばこ成分が染み出したスヌースに接触している他のスヌースにまで、その染み出しが移ってしまう。その結果、スヌースの外観が悪くなることがある。【００１１】
本発明の目的は、その保管中、個々の口腔用製品を互いに接触させることなく収容できるとともに、取り出す対象の口腔用製品のみにアクセス可能であって、この製品を容易に取り出すことができる口腔用製品のホルダ装置を提供することにある。
【課題を解決するための手段】
【００１２】
上記の目的は本発明の口腔用製品のホルダ装置によって達成され、この口腔用製品のホルダ装置は、ユーザの口腔内に置かれて使用されるべき多数の口腔用製品と、口腔用製品を互いに接触させることなく配置し且つ互いに所定の間隔を存して保持するホルダとを備え、ホルダは、容器と、この容器内に配置され、容器の内部を口腔用製品が個々に収容可能な収容室に区画する多数の仕切り壁とを含む。【００１３】
具体的には、容器は、円筒形のケースボディであって、その上面及び外周面の一方を開口させた開口面を有し、収容室がケースボディの内部にて仕切り壁により放射状に区画され、開口面側からアクセス可能な開口を有する、ケースボディと、ケースボディの開口面を覆い且つケースボディの周方向に回転自在な円筒形のカバーと、カバーに形成され、その回転に伴い、収容室の１つへのアクセスを可能とする開閉可能な取り出し口とを含む。【００１４】
口腔用製品は、仕切り壁によって区画された収容室内に個々に収容されているので、口腔用製品の収容時、口腔用製品同士が互いにくっつき合うことがない。また、口腔用製品が取り出される際、ユーザは他の口腔用製品に触れることなく、その口腔用製品を取り出すことができ、衛生的である。更に、使用済みの口腔用製品を空の収容室に一時的に入れることもできる。【００１５】
また、ホルダは、カバーの回転方向を一方向に制限するラチェット機構を更に含むことができる。この場合、使用済みの口腔用製品が収容室に入れられていても、ホルダ装置内の口腔用製品が全て使用されるまで、使用済みの口腔用製品が入れられた収容室が再び取り出し口と合致されることもない。
好ましくは、ホルダは、収容室の開口全域を覆う一方、個々の収容室内の口腔用製品をケースボディから露出可能とするシール要素を更に含む。【００１６】
具体的には、シール要素は、ケースボディの開口面全域を開閉可能に覆うべくケースボディに引き剥がし可能に貼り付けられ、且つ、カバー外に引き出し可能な引き出しシートを含む。引き出しシートがケースボディの上面から引き剥がされると、この引き剥がしは、カバーをケースボディに対して回転させる。つまり、引き出しシートの引き剥がしによって１つの収容室が開くと同時に、この開いた収容室はカバーの取り出し口に合致される。その結果、この収容室に収容された口腔用製品は取り出し口を通じて露出される。【００１７】
また、容器は、長尺なボックス形状のアウタケースと、アウタケース内に少なくとも１個引出し可能に収容された長尺なインナケースであって、上面及び側面の一方を開口させた開口面を有するインナケースとを有し、仕切り壁は、インナケース内に個々の収容室を区画すべくその長手方向に間隔を存して配置されていてもよい。この場合、口腔用製品は、仕切り壁によって区画された収容室内に個々に収容されているので、口腔用製品の収容時、口腔用製品同士が互いにくっつき合うことがない。【００１８】
好ましくは、ホルダは、インナケースに貼り付けられ、個々の収容室を開閉可能に覆う開閉シールを更に含む。また、容器は、アウタケース内に上下２段にして収容可能なインナケースを有していてもよい。
また、ホルダは、開口面全域を覆う一方、個々の収容室内の口腔用製品を前記インナケースから露出可能とするシール要素を更に含むことができる。【００１９】
具体的には、シール要素は、インナケースの開口面全域を開閉可能に覆うべくインナケースに引き剥がし可能に貼り付けられ、且つ、アウタケース外に引き出し可能な引き出しシートを含む。
また、引き出しシートは、アウタケースの開口端に固定された先端を有していてもよいし、アウタケースの開口端から引き出された引き手を有していてもよい。【００２０】
また、シール要素は、アウタケースの外面に配置され、引き出しシートを切断可能なカッタを更に含むことができる。この場合、カッタは、インナケースの引き出し距離、即ち、引き出しシートの引き剥がし分の引き出しシートの切断に使用される。
更に、容器は、長尺なロアベースであって、その一端部のみに上方に向けて開口し且つ口腔用製品を１個のみ収容可能な取り出し室を有するロアベースと、ロアベースに摺動可能に重ね合わされ、ロアベースに沿って延びるアッパケースであって、その下面を開口させた開口面を有し、収容室がアッパケース内に仕切り壁によりその長手方向に並んで配置され、且つ、収容室に対して開口面側からアクセス可能である、アッパケースとを含み、個々の収容室は、アッパケースの摺動位置に応じて取り出し室に合致可能であってもよい。【００２１】
また、ホルダ装置は、開口面全域を覆う一方、個々の収容室内の口腔用製品をアッパケースから露出可能とするシール要素を更に含むことができる。
具体的には、シール要素は、アッパケースの開口面全域を開閉可能に覆うべくアッパケースに引き剥がし可能に貼り付けられた引き出しシートを含む。
また、引き出しシートは引き手を有し、ロアベースは、取り出し室の近傍に引き手をロアベースの下面側に引き出すスリットを有することができる。【００２２】
この場合であっても、口腔用製品は、仕切り壁によって区画された収容室内に個々に収容されているので、口腔用製品の収容時、口腔用製品同士が互いにくっつき合うことがない。更に、引き出しシートが引っ張られると、アッパケースはその下面から引き出しシートが引き剥がされると同時にロアベースに対して一方向にスライドする。それ故、口腔用製品が収容された収容室が取り出し室と合致した際、口腔用製品は収容室から取り出し室に落ちる。この状態からアッパケースが逆方向にスライドされると取り出し室が露出され、口腔用製品は容易に取り出される。【００２３】
また、ホルダ装置は、ロアベース内に回転可能に配置され、アッパケースの摺動に連動して引き出しシートの巻取り又は送り出しをなすリールを更に含んでいてもよい。
また、容器の内面は、防水処理されていることが望ましい。この場合、１つの口腔用製品の外面に染み出しが発生しても、この染み出しが他の口腔用製品に付着することない。
また、口腔用製品は、たばこ原料からなるたばこ粒と、このたばこ粒を包み込んだ包材とを含み、ユーザの口腔内に置かれたとき、唾液を通じてたばこ成分をユーザに吸収させるものである。
【発明の効果】
【００２４】
本発明の口腔用製品のホルダ装置によれば、その保管中、個々の口腔用製品を互いに接触させることなく収容できるとともに、ユーザが取り出す対象の口腔用製品のみにアクセス可能であり且つこれを容易に取り出すことができる。
【図面の簡単な説明】
【００２５】
【図１】本発明の実施例Ａ(1)に係る円筒容器型のホルダ装置の斜視図である。
【図２】図１のホルダ装置を上から見た際のケースボディの外周壁とカバーの周壁との拡大断面図ある。
【図３】本発明の実施例Ａ(2)に係るホルダ装置の斜視図である。
【図４】本発明の実施例Ａ(3)に係るホルダ装置の斜視図である。
【図５】本発明の実施例Ａ(4)に係るホルダ装置におけるケースボディの斜視図である。
【図６】本発明の実施例Ａ(4)に係るホルダ装置におけるカバーの平面図である。
【図７】本発明の実施例Ａ(4)に係るホルダ装置の平面図である。
【図８】本発明の実施例Ａ(5)に係るホルダ装置の平面図である。
【図９】本発明の実施例Ａ(5)に係るホルダ装置におけるケースボディの斜視図である。
【図１０】本発明の実施例Ａ(5)に係るホルダ装置の側面図である。
【図１１】本発明の実施例Ａ(6)に係るホルダ装置の側面図である。
【図１２】本発明の実施例Ｂ(1)に係るボックス容器型のホルダ装置の斜視図である。
【図１３】本発明の実施例Ｂ(2)に係るホルダ装置の斜視図である。
【図１４】本発明の実施例Ｂ(3)に係るホルダ装置の斜視図である。
【図１５】本発明の実施例Ｂ(4)に係るホルダ装置の斜視図である。
【図１６】（Ａ）〜（Ｃ）は本発明の実施例Ｂ(5)に係るホルダ装置の断面図である。
【図１７】（Ａ）〜（Ｃ）は本発明の実施例Ｂ(6)に係るホルダ装置の断面図である。
【図１８】（Ａ）〜（Ｃ）は本発明の実施例Ｂ(7)に係るホルダ装置の断面図である。
【図１９】本発明の実施例Ｂ(8)に係るホルダ装置の断面図である。
【図２０】本発明の実施例Ｂ(9)に係るホルダ装置の平面図である。
【図２１】本発明の実施例Ｂ(9)に係るホルダ装置の正面図である。
【図２２】本発明の実施例Ｂ(10)に係るホルダ装置の断面図である。
【図２３】本発明の実施例Ｂ(11)に係るホルダ装置の断面図である。
【図２４】（Ａ）及び（Ｂ）は実施例Ｂ(12)に係るホルダ装置の側面図である。
【図２５】（Ａ）〜（Ｃ）は本発明の実施例Ｃ(1)に係る２段ボックス容器型のホルダ装置の断面図である。
【図２６】本発明の実施例Ｃ(2)に係るホルダ装置の断面図である。
【図２７】図２６に示されるリール機構の概略図である。
【図２８】アウタケースを備えた実施例Ｃ(1)、(2)のホルダ装置の側面図である。
【図２９】アッパケースがロアベースを保持する際の実施例Ｃ(1)、(2)のホルダ装置の概略図である。
【図３０】本発明の実施例Ｄ(1)に係るプレート型のホルダ装置の斜視図である。
【図３１】本発明の実施例Ｄ(2)に係るホルダ装置の斜視図である。
【図３２】本発明の実施例Ｄ(3)に係るホルダ装置の斜視図である。
【図３３】本発明の実施例Ｄ(4)に係るホルダ装置の斜視図である。
【発明を実施するための形態】
【００２６】
先ず、実施例Ａのグループに属する円筒容器型のホルダ装置について説明する。
図１に示される実施例Ａ(1)のホルダ装置１は、口腔用製品としての多数のパウチ２と、これらパウチ２を収容可能な収容ケース４とを備えている。
パウチ２はたばこ原料からなるたばこ粒と、このたばこ粒を包み込んだ包材、即ち、不織布シートとを含む。たばこ粒は、たばこ原料を裁刻又は粉砕して得られる。その使用時、パウチ２は収容ケース４から取り出されて、ユーザの口腔内に置かれる。具体的には、パウチ２はユーザの上唇と歯茎との間に挟まれ、ユーザは、唾液中に抽出されたたばこ粒のたばこ成分を歯茎から体内に吸収する。それ故、ユーザは、たばこ粒のたばこ成分を吸収しつつ、たばこ粒の芳香を味わうことができる。なお、このようなたばこ成分の抽出及び吸収を促すため、たばこ粒は多くの水分を含んでいる。
【００２７】
一方、収容ケース４は、ケースボディ５と、このケースボディ５を開閉可能に覆うカバー１０とを含む。これらケースボディ５とカバー１０とはともに合成樹脂でできている。
詳しくは、ケースボディ５はその上面が開口した薄型の円筒形状をなしており、このケースボディ５の内部には、多数の仕切り壁６が配置されている。これら仕切り壁６は、ケースボディ５の内底面から垂直に立ち上がり、且つ、ケースボディ５の中心から径方向外側に向けてケースボディ５の周壁５ｉまで延びている。それ故、仕切り壁６及び周壁５ｉは協働してケースボディ５の内部を放射状に多数の収容室７に区画し、これら収容室７には前述のパウチ２が１つずつ配置されている。なお、仕切り壁６の上縁は周壁５ｉの上縁と同一の面内に位置付けられている。
【００２８】
また、ケースボディ５内、即ち、収容室７を形成するケースボディ５の内底面５ｃ、周壁５ｉ及び仕切り壁６の表面全域にはそれぞれ防水剤４０が塗布され、即ち、防水処理が施されている。この防水剤４０としては、例えば、パラフィンが挙げられる。
一方、カバー１０は下面が開口した薄型の円筒形状をなし、ケースボディ５の開口した上面及び周壁５ｉを外側から覆うことができるサイズを有する。
【００２９】
カバー１０の上面１０ｕの外周部には取り出し口としての開口部１２ａが形成されており、この開口部１２ａは前述の収容室７の開口面と同様な形状及び大きさを有する。それ故、ケースボディ５がカバー１０によって覆われている状態にあるとき、カバー１０がケースボディ５の主方向に回転されれば、開口部１２ａは１つの収容室７に合致する。
更に、カバー１０の上面１０ｕには、開口部１２ａを覆うようにして開閉シール１４ａが貼り付けられており、この開閉シール１４ａは上面１０ｕに対して再接着可能である。
【００３０】
一方、カバー１０は、ケースボディ５の周壁５ｉに沿い一方向のみに回転可能である。このため、ケースボディ５の周壁５ｉとカバー１０の周壁１０ｉとの間にはラチェット機構が設けられている。
詳しくは、図２に示すように、ラチェット機構は、１個の爪１６と多数の爪１８とからなる。具体的には、爪１６はケースボディ５における周壁５ｉの外周面５ａから突出している。一方、これら爪１８はカバー１０における周壁１０ｉの内周面１０ａから突出している。そして、これら爪１６、１８はそれぞれ略直角三角形をなしている。即ち、これら爪１６、１８は垂直面１６ａ、１８ａと傾斜面１６ｂ、１８ｂとをそれぞれ有している。これら垂直面１６ａ、１８ａはそれぞれ対応する周壁５ｉ、１０ｉに対して垂直に位置する。一方、これら傾斜面１６ｂ、１８ｂはそれぞれ対応する周壁５ｉ、１０ｉに対して傾斜している。そして、これら爪１６、１８は、周壁５ｉ、１０ｉの周方向で視て互いに逆向きに配置されている。それ故、図２で視て、カバー１０がケースボディ５に対して左から右に正回転させられ、カバー１０のいずれかの爪１８がケースボディ５の１つの爪１６に到達すると、その傾斜面１８ｂと爪１６の傾斜面１６ｂとが摺接して爪１８は爪１６に乗り上げ、その後、カバー１０の周壁１０ｉの弾性変形を伴いながら爪１６を乗り越えた時点で、周壁１０ｉの弾性変形が解消される。その結果、爪１６を乗り越えた爪１８はケースボディ５の周壁５ｉに向けて変位し、カバー１０の逆回転方向に関して爪１６と当接可能となる。つまり、カバー１０が右から左に逆回転されようとしても、爪１６の垂直面１６ａに爪１８の垂直面１８ａが当接することで、カバー１０の逆回転は防止される。なお、爪１８はカバー１０の周方向に、収容室７間の周壁５ｉの長さに等しい間隔を存して配置されている。また、爪１６に対して１つの爪１８がカバー１０の逆回転方向から当接した状態にあるとき、１つの収容室７に開口部１２ａが合致するようになっている。
【００３１】
上述した実施例Ａ(1)のホルダ装置１によれば、ユーザは、カバー１０の上面１０ｕから開閉シール１４ａを剥がして開口部１２ａを露出させ、必要に応じて、カバー１０を正回転させることで開口部１２ａを１つの収容室７に合致させる。この状態で、その収容室７内に収容されている１個のパウチ２はユーザの手で摘まれ、開口部１２ａを通じてホルダ装置１から取り出される。そして、ユーザは取り出したパウチ２を口腔内に含み、上唇と歯茎の間に挟むことで、たばこの香味を楽しむことができる。
【００３２】
ホルダ装置１内のパウチ２は仕切り壁６によって区画された収容室７内に個々に収容されているので、パウチ２の収容時、パウチ２が互いにくっつき合うことがない。また、パウチ２が取り出される際、ユーザは他のパウチ２に触れることなく、そのパウチ２を取り出すことができる。即ち、ユーザは、取り出す対象としてのパウチ２のみを容易に取り出すことができる。また、１つのパウチ２の外面に染み出しが発生しても、この染み出しが他のパウチ２に付着することはない。したがって、ホルダ装置１内の他のパウチ２は衛生的である。
【００３３】
更に、収容室７内、即ち、ケースボディ５の内底面、周壁５ｉ及び仕切り壁６はそれぞれ防水剤４０を含んでいるので、パウチ２に染み出しが発生しても、その染み出しが仕切り壁６に染み込んで他の収容室７に配置されている他のパウチ２に付着することがない。
一方、使用済みのパウチ２は空の収容室７に入れることもできる。この場合、カバー１０は一方向のみに回転可能であるから、ホルダ装置１内に収容されたパウチ２が全て使用されるまで、使用済みのパウチ２を入れた収容室７が再び開口部１２ａと合致することもない。
【００３４】
また、上述のようにパウチ２のたばこ粒は水分を多く含んでいるため、たばこ粒に含まれる水分がパウチ２の外面に染み出してくることがある。この場合、たばこ粒のたばこ成分もまた一緒に染み出してくることがある。このようなたばこ成分の損失を補償するため、パウチ２の包材、即ち、不織布シートやケースボディ５の少なくとも一方は食品香料１００を含むことができる。食品香料１００がケースボディ５内に付着される場合、収容室７を形成するケースボディ５の内底面５ｃ、周壁５ｉ及び仕切り壁６の表面全域の少なくとも１つに添加されていればよい。
【００３５】
食品香料１００としては、ユーザのニーズに応じて、メンソール、ミント、バニラ、アプリコット、紅茶、ココア、リコリス、蜂蜜等を単体又は複数組み合わせて使用できる。しかしながら、食品香料１００は、たばこ粒の風味を損なうものであってはならないし、また、たばこ粒がアルカリ性であるから、酸性の食品香料の使用は避けなければならない。
また、食品香料１００は粉末の形態又は溶媒に溶かした液状の形態で使用される。ここで、溶媒としては水、アルコール、グリセリン、プロピレングリコール等を使用可能である。
【００３６】
パウチ２に食品香料１００が付着される場合、食品香料１００には保湿剤としても機能するグリセリンやプロピレングリコール等を含んでいるのが望ましい。この場合、グリセリンはたばこ粒を主成分とした混合物の１重量％だけ不織布シートに塗布される。
一方、ケースボディ５側に食品香料１００が付着される場合、食品香料１００にはアルコールに１重量％のメンソールを溶解させたメンソール液が使用され、このメンソール液は、収容室７を形成するケースボディ５の内底面５ｃ、周壁５ｉ及び仕切り壁６の表面全域の少なくとも１つにスプレーコーティングされる。
【００３７】
図３に示される実施例Ａ(2)のホルダ装置１は、収容室７が側方に開口したケースボディ５を備えている。すなわち、ケースボディ５の周壁５ｉには個々の収容室７に対応して略長方形の開口が形成されている。一方、カバー１０の周壁１０ｉには前述の開口部１２ａに代えて開口部１２ｂが形成されており、この開口部１２ｂはケースボディ５の１つの開口と合致するサイズを有する。なお、カバー１０の周壁１０ｉには、開口部１２ｂを開閉するための開閉シール（図示しない）が貼り付けられている。また、ケースボディ５とカバー１０との間には前述のラチェット機構と同様なラチェット機構が設けられ、このラチェット機構もまたカバー１０の回転を一方向に制限する。
【００３８】
また、ケースボディ５内、即ち、収容室７を形成するケースボディ５の内底面５ｃ、天板５ｄ及び仕切り壁６の表面全域にはそれぞれ防水剤４０及び食品香料１００が塗布されている。
図４に示される実施例Ａ(3)のホルダ装置１は、そのケースボディ５内に内周壁９ｉを含んでいる。この内周壁９ｉは周壁５ｉと同心にて配置されている。それ故、この内周壁９ｉはその内部に一時収容室９を規定する。一方、内周壁９ｉと周壁５ｉとの間には環状スペース２０が規定されている。この環状スペース２０には多数の仕切り壁６が配置されている。これら仕切り壁６は、内周壁９ｉから周壁５ｉまでケースボディ５の径方向に延び、且つ、ケースボディ５の周方向に等間隔を存して配置されている。この場合もまた、これら仕切り壁６は環状スペース２０を放射状に多数の収容室７に区画し、これら収容室７にはパウチ２が１つずつ配置されている。
【００３９】
また、ケースボディ５内、即ち、収容室７及び一時収容室９を形成するケースボディ５の内底面５ｃ、周壁５ｉ、仕切り壁６及び内周壁９ｉの表面全域にはそれぞれ防水剤４０及び食品香料１００が塗布されている。
一方、カバー１０の上面１０ｕには取り出し口としての開口部１２ｃ、１２ｄが形成されている。開口部１２ｃは上面１０ｕの外周部に配置され、収容室７の開口面と同様な形状及び大きさを有する。一方、開口部１２ｄは上面１０ｕの中央に配置され、一時収容室９に合致する形状及び大きさを有する。また、上面１０ｕには開閉シール１４ｃ、１４ｄが貼り付けられている。これら開閉シール１４ｃ、１４ｄは開口部１２ｃ、１２ｄをそれぞれ開閉し、上面１０ｕに対して再接着可能である。なお、開口部１２ｃ、１２ｄ及び開閉シール１４ｃ、１４ｄは一体であってもよい。
【００４０】
図５〜図７に示される実施例Ａ(4)のホルダ装置１は、実施例Ａ(3)におけるケースボディ５の上面に引き出しシート２２が貼り付けられている。この引き出しシート２２は、環状をなし、ケースボディ５の全ての収容室７、即ち、環状スペース２０を覆っている。
詳しくは、引き出しシート２２は環状スペース２０の周長よりも長い周長を有している。それ故、環状スペース２０が引き出しシート２２によって覆われたとき、図５に示されるように引き出しシート２２の余剰部分はケースボディ５の上面から上方に向けて延びる引き手２２ａとして形成される。
【００４１】
一方、カバー１０には、図６に示されるように、その上面１０ｕに前述した開口部１２ｃ及び１２ｄと、引き出しシート２２の引き出しスロット２４とがそれぞれ形成されている。開口部１２ｃ、１２ｄはそれぞれ上面１０ｕに再接着可能な開閉シール３６、３８で覆われている。これら開閉シール３６、３８は図６中、二点鎖線で示されている。一方、引き出しスロット２４は開口部１２ｃの近傍に配置され、カバー１０の径方向に延び且つ前述の引き出しシート２２を引き出し可能なサイズを有する。また、引き出しスロット２４の一方の開口縁は、引き出しシート２２を切断可能なジグザグ状の刃２６として形成されている。
【００４２】
図７に示されるように、ケースボディ５がカバー１０によって覆われたとき、引き出しシート２２の引き手２２ａはカバー１０の引き出しスロット２４を通じてカバー１０の上面１０ｕ側に引き出された状態にある。
図７のホルダ装置１からユーザがパウチ２を取り出すには、先ず、ユーザは開閉シール３６を剥がし、開口部１２ｃを露出させる。この後、ユーザが引き出しシート２２の引き手２２ａを摘み、引き出しシート２２を引き出しスロット２４を通じて上方に引き出すことで、引き出しシート２２はケースボディ５の上面から引き剥がされる。このような引き剥がしは、カバー１０をケースボディ５に対し、図７で見て時計回りに回転させる。その結果、引き出しシート２２の引き出しによって１つの収容室７が開くと同時に、この開いた収容室７はカバー１０の開口部１２ｃに合致して、この開口部１２ｃを通じて露出される。
【００４３】
従って、ユーザは露出された収容室７内のパウチ２を開口部１２ｃを通じて容易に取り出すことができる。なお、使用済みのパウチ２は、空の収容室７に廃棄されるか、又は、開閉シール３８を剥がして開口部１２ｄを露出させ、この開口部１２ｄを通じて一時収容室９に廃棄される。
上述した引き出しシート２２の引き出しが繰り返されれば、新たな収容室７が開かれると同時に、その収容室７が開口部１２ｃに順次合致され、開口部１２ｃを通じて露出される。したがって、ユーザは取り出す対象としてのパウチ２のみに容易にアクセスすることができるとともに、ケースボディ５からこのパウチ２のみを容易に取り出すことができる。
【００４４】
一方、引き出しシート２２の引き出しが繰り返され、引き出しシート２２の引き手２２ａが長くなり過ぎた場合、ユーザは引き手２２ａの余剰部分を引き出しスロット２４の刃２６を使用して切断することができる。
図８〜図１１に示される実施例Ａ(5)のホルダ装置１は、カバー１０の周壁１０ｉに前述した引き出しスロット２４と、実施例Ａ(2)の開口部１２ｂと同様の開口部１２ｅとを有する。この開口部１２ｅはスライド式のリッド３０によって開閉可能である。このリッド３０はカバー１０の内周面に取り付けられ、カバー１０の周方向にスライド可能である。更に、引き出しスロット２４の近傍にはカッタ３４が配置されており、このカッタ３４はカバー１０の軸線方向に延び、カバー１０の径方向外側に向けられた刃を有する。
【００４５】
一方、図９に示されるように、ケースボディ５は実施例Ａ(3)におけるケースボディ５の開口された上面に代えて開口された外周を有する。即ち、前述した収容室７はケースボディ５の径方向外側に向けて開口している。この場合、ケースボディ５は前述した周壁５ｉに代えて天板５ｄを有する。したがって、各収容室７はケースボディ５の天板５ｄ、内底面５ｃ、内周壁９ｉ及び仕切り壁６により形成されている。この場合もまた、ケースボディ５内、即ち、収容室７及び一時収容室９を形成するケースボディ５の天板５ｄ、内底面５ｃ、仕切り壁６及び内周壁９ｉの表面全域にはそれぞれ防水剤４０及び食品香料１００が塗布されている。
【００４６】
また、引き出しシート２２はケースボディ５の外周に貼り付けられ、個々の収容室７の開口を覆っている。図１０中、引き出しシート２２は破線で示されている。そして、図１０から明らかなように引き出しシート２２の引き手２２ａは引き出しスロット２４を通じてカバー１０の外側に引き出されている。
実施例Ａ(5)のホルダ装置１からパウチ２を取り出すには、先ず、ユーザはリッド３０をカバー１０の周方向にスライドさせて開き、開口部１２ｅを露出させる。この状態で、ユーザが引き出しシート２２の引き手２２ａをカバー１０の周方向に引っ張り、引き出しシート２２をカバー１０から引き出すと、引き出しシート２２はケースボディ５の外周から引き剥がされる。そして、この引き剥がしはケースボディ５に対し、カバー１０を図１０で見て右から左へ回転させる。更に、引き出しシート２２の引き剥がしによって開いた収容室７が開口部１２ｅに合致する。その結果、ユーザは、この開口部１２ｅを通じて収容室７内のパウチ２を取り出すことができる。
【００４７】
図１１に示される実施例Ａ(6)のホルダ装置１は、カバー１０の周壁１０ｉに前述した引き出しスロット２４の代わりに細長い切り欠き３２を有する。この切り欠き３２はカバー１０の軸線方向に延び、カバー１０における周壁１０ｉの下端にて開口する点で、引き出しスロット２４とは異なる。切り欠き３２の近傍には前述したカッタ３４が配置されている。
【００４８】
実施例Ａ(6)のホルダ装置１の場合、ユーザは、切り欠き３２と引き出しシート２２の引き手２２ａとの位置を合わせるだけで、ケースボディ５にカバー１０を被せることができる。この後、ユーザは切り欠き３２を通じて引き出しシート２２の引き手２２ａをカバー１０の外側に引き出すことができる。このような切り欠き３２は、ユーザがケースボディ５内にパウチ２を詰め替える際、ケースボディ５に対するカバー１０の脱着を容易にする。また、パウチ２が詰め替えられる際、パウチ２が予め収容されているケースボディ５が詰め替え用ケースボディとして別途用意され、このケースボディにカバー１０が被せられたものを新たなホルダ装置１としてもよい。
【００４９】
実施例Ａ(2)〜Ａ(6)のホルダ装置１もまた実施例Ａ(1)のものと同様な利点を有する。また、実施例Ａ(3)〜Ａ(6)のホルダ装置１にあっては、使用中のパウチ２はケースボディ５の一時収容室９に一時的に収容可能である。なお、一時収容室９に使用済みのパウチ２が収容可能であるのは言うまでもない。
また、実施例Ａ(1)〜(6)のホルダ装置１のケースボディ５及びカバー１０は、無色透明の合成樹脂材料で形成されていてもよい。この場合、ユーザは開口部１２ａ、１２ｂ、１２ｃ、１２ｅを通して各収容室７を覗くことなくホルダ装置１に収容されているパウチ２の残数を確認することができる。
【００５０】
更に、実施例Ａ(1)〜Ａ(4)のホルダ装置１の開口部１２ａ、１２ｂ、１２ｃ、１２dは開閉シール１４ａ、１４ｃ、１４ｄに代えて、例えば、スライド式又はヒンジ式の開閉可能なリッドであってもよい。
一方、実施例Ａ(5)、Ａ(6)のホルダ装置１はスライド式のリッド３０に代えてヒンジを介して回動可能なリッド又は開閉シールを備えることもできる。
【００５１】
次に、実施例Ｂのグループに属するボックス容器型のホルダ装置１について説明する。
図１２に示される実施例Ｂ(1)のホルダ装置１は、長尺なボックス形状のアウタケース５２と、このアウタケース５２内に引き出し可能に収容されたインナケース４２とを備えている。これらアウタケース５２とインナケース４２とはともに合成樹脂でできている。アウタケース５２は一端が開口端として形成されている。それ故、アウタケース５２内にインナケース４２が完全に収容されたとき、インナケース４２はアウタケース５２の開口端にて露出する外端面４２ａを有する。
【００５２】
インナケース４２はその上面のみにて開口し、その内部に多数の仕切り壁４４が配置されている。これら仕切り壁４４はインナケース４２内を横断し且つインナケース４２の長手方向に等間隔を存して配置されている。従って、これら仕切り壁４４はインナケース４２内を多数の収容室４６に区画しており、これら収容室４６は個々にパウチ２を収容可能な大きさを有する。
【００５３】
また、各仕切り壁４４の上縁中央部には円弧状の切欠が形成されている。一方、切欠の両側部分はインナケース４２の開口面と同一の面内に配置されている。
更に、収容室４６内、即ち、インナケース４２の内底面４２ｃ、内側面４２ｉ及び仕切り壁４４の表面全域にはそれぞれ防水剤４０及び食品香料１００が塗布されている。
【００５４】
インナケース４２の外端面４２ａにはその上縁に取手４８が形成され、この取手４８はインナケース４２の幅方向に延びている。取手４８はユーザがアウタケース５２からインナケース４２を引き出す際の摘み部になるとともに、インナケース４２の開口面、即ち、収容室４６の開口側の向きを示す目印となる。つまり、ユーザはインナケース４２の取手４８が上側となるようにホルダ装置１を保持し、この状態でアウタケース５２からインナケース４２を引き出すことができる。それ故、ユーザが収容室４６の開口側を下に向けた状態のままインナケース４２を誤って引き出し、収容室４６からパウチ２を落下させてしまうのを防ぐことができる。
【００５５】
更に、このホルダ装置１はインナケース４２の引出し量を制限するストッパ機構５０を備えている。このようなストッパ機構５０は、例えば、互いに係合可能な一対の係合部５０ａ、５０ｂを含み、これら係合部５０ａ、５０ｂはインナケース４２、アウタケース５２の一部により形成されている。詳しくは、一方の係合部５０ａは、インナケース４２の外端面４２ａとは長手方向で視て反対側に位置する内端面４２ｂにおける下縁に配置され、インナケース４２の幅方向全域に亘って延び、且つ、インナケース４２の外端面４２ａに向けて斜め下方に延びている。他方の係合部５０ｂは、アウタケース５２の開口端側の底面に配置され、アウタケース５２の幅方向全域に亘って延び、且つ、アウタケース５２の閉口端に向けて斜め上方に延びている。したがって、インナケース４２がアウタケース５２から完全に引き出されそうになったとき、これら係合部５０ａ、５０ｂは互いに係合する。それ故、ホルダ装置１がこのようなストッパ機構５０を備えていれば、ユーザがインナケース４２を勢いよく引き出しても、インナケース４２がアウタケース５２内から完全に引き出されることは制限される。また、ストッパ機構５０は、収容室４６からのパウチ２の飛び出しを防ぐうえでも有効である。
【００５６】
実施例Ｂ(1)のホルダ装置１にあっても、前述した実施例Ａグループのホルダ装置１と同様に、パウチ２をインナケース４２内に独立して収容することができるとともに、アウタケース５２からインナケース４２が引き出されれば、所望のパウチ２を他のパウチ２に触れることなく取り出すことができる。また、ホルダ装置１は、使用済みのパウチ２を空の収容室４６に一時的に収容することもできる。更に、個々のパウチ２は独立して収容されているので、パウチ２に染み出しが生じても他のパウチ２に付着することがない。
【００５７】
更に、収容室４６内、即ち、インナケース４２の内底面４２ｃ、内側面４２ｉ及び仕切り壁４４の表面全域にはそれぞれ防水剤４０が塗布されているので、パウチ２に染み出しが発生しても、この染み出しが仕切り壁４４に染み込んで他の収容室４６に配置されている他のパウチ２に付着することがない。
図１３に示される実施例Ｂ(2)の場合、インナケース４２は個々の収容室４６の開口面を開閉可能にそれぞれ覆う開閉シール５６を更に備えている。これら開閉シール５６はインナケース４２の上面に対して再接着可能である。なお、開閉シール５６はインナケース４２の開口面全体を覆う１枚のものであってもよい。
【００５８】
図１４に示される実施例Ｂ(3)の場合、アウタケース５２はその上面に開口部５４を更に有している。この開口部５４はアウタケース５２内にインナケース４２が収容された状態にあるとき、１つの収容室４６と合致する大きさを有する。更に、アウタケース５２の上面には開口部５４を開閉可能に覆う開閉シール５７が貼り付けられている。実施例Ｂ(3)のホルダ装置１によれば、開閉シール５７が剥がされることで、開口部５４からも収容室４６にアクセス可能となる。
【００５９】
図１５に示される実施例Ｂ(4)の場合、アウタケース５２内にはインナケース４３ｌ、４３ｕが上下２段にして収容されている。例えば、下段のインナケース４３ｌは図１３のインナケース４２と同様なものであって、個々の収容室４６には使用前のパウチ２がそれぞれ収容され、収容室４６を覆う開閉シール５６を剥がすことで、その収容室４６からパウチ２を取り出すことができる。
【００６０】
一方、上段のインナケース４３ｕは図１４のインナケース４２と同様なものである。また、図１４のアウタケース５２と同様に、アウタケース５２にはその上面に開閉シール５７によって開閉可能な開口部５４が形成されている。上段のインナケース４３ｕは使用済みのパウチ２を入れるために使用され、この場合、使用済みのパウチ２はインナケース４３ｕを引き出し、空の収容室４６に直接又は開口部５４を通じて入れられる。
【００６１】
なお、上段のインナケース４３ｕに使用前のパウチ２を収容し、下段のインナケース４３ｌに使用後のパウチ２を入れるようにしてもよい。
また、上述した図１２〜図１５に示すアウタケース５２はその両端が開口されていてもよい。この場合、インナケース４２はアウタケース５２の両開口端にてそれぞれ露出する外端面４２ａを有し、それぞれの外端面４２ａには取手４８が形成されていることが望ましい。
【００６２】
図１６（Ａ）に示す実施例Ｂ(5)のホルダ装置１は、インナケース４２の開口面全域を開閉可能に覆う１枚の引き出しシート５８を更に備えている。この引き出しシート５８の外端、即ち、インナケース４２の外端面４２ａ側に位置した先端は、アウタケース５２の開口端上縁に固定されている。つまり、引き出しシート５８はアウタケース５２からのインナケース４２の引き出しに連動して外端面４２ａ側から剥がされる（図１６（Ｂ））。それ故、インナケース４２の収容室４６はその外端面４２ａ側に位置するものから順次露出される。この後、インナケース４２がアウタケース５２内に押し戻されると、再度引き出しシート５８が収容室４６、即ち、インナケース４２の開口面全域を覆う（図１６（Ｃ））。
【００６３】
実施例Ｂ(5)のホルダ装置１には、それぞれの収容室４６にパウチ２が個々に収容され、引き出しシート５８が剥がされる長さ、即ち、インナケース４２が引き出される距離に応じて所望の収容室４６が露出される。それ故、ユーザはパウチ２を１つずつ容易に収容室４６から摘み出すことができる。なお、パウチ２が取り出された収容室４６内には使用済みのパウチ２が一時的に廃棄されてもよい。
【００６４】
図１７の実施例Ｂ(6)のホルダ装置１は、実施例Ｂ(5)のホルダ装置１と同様に、インナケース４２、アウタケース５２及び引き出しシート５８をそれぞれ備えているが、ここでの引き出しシート５８の先端がアウタケース５２の開口端に固定されておらず、この先端が引き手５９として形成されている点のみで、実施例Ｂ(5)とは異なる（図１７（Ａ））。
【００６５】
それ故、図１７（Ｂ）に示されるように、ユーザが引き出しシート５８の引き手５９を摘み、引き出しシート５８がアウタケース５２の開口端上縁にて折り返された状態にて、アウタケース５２の開口端とは反対側の閉口端に向けて引っ張られることで、インナケース４２から引き出しシート５８が引き剥がされながら、インナケース４２はアウタケース５２から引き出されるとともに収容室４６が外端面４２ａ側から順次露出される。そして、インナケース４２がアウタケース５２内に押し戻されると、インナケース４２がアウタケース５２内に没入するに従い、引き出しシート５８は再びインナケース４２に貼り付けられていき、収容室４６を順次覆うことになる（図１７（Ｃ））。
【００６６】
実施例Ｂ(6)のホルダ装置１も同様に、パウチ２はそれぞれの収容室４６に個々に収容され、これら収容室４６は引き出しシート５８が剥がされた長さ、即ち、インナケース４２が引き出された距離に応じて露出されるから、ユーザは、パウチ２を１つずつインナケース４２から取り出すことができる。
図１８に示す実施例Ｂ(7)のホルダ装置１は、アウタケース５２の上面に配置され、引き出しシート５８を切断可能なカッタ６０ａを更に備えている（図１８（Ａ））。詳しくは、このカッタ６０ａはアウタケース５２の幅方向に延び、インナケース４２の引き出し距離、即ち、引き出しシート５８の引き剥がし分だけ、引き出しシート５８の切断に使用される（図１８（Ｂ））。なお、この場合、図１８（Ｃ）に示されるように、インナケース４２がアウタケース５２に押し戻された際、引き出しシート５８の切断により、引き出しシート５８から一旦露出した収容室４６は露出されたままとなる。
【００６７】
図１９に示される実施例Ｂ(8)のホルダ装置１は、折りたたみ式のカッタ６０ｂを備えている。詳しくは、このカッタ６０ｂは、アウタケース５２の上面にヒンジ６２を介して取り付けられ、図１９中、実線で示す起立姿勢と二点鎖線で示す折り畳み姿勢との間にてヒンジ６２の回りに回動可能である。それ故、折り畳み姿勢にあるとき、カッタ６０ｂはアウタケース５２の上面に密着することができる。
【００６８】
更に、図２０及び図２１に示される実施例Ｂ(9)のホルダ装置１はスライド式のカッタ６０ｃを備えている。このカッタ６０ｃは支持台６３を含み、この支持台６３は、図２０に示されるように、アウタケース５２の直上をその幅方向に延び、両端に脚部をそれぞれ有する。それ故、支持台６３はその両脚部にてアウタケース５２の両側面を挟み込むことで、アウタケース５２の上面との間に所定のギャップを存してアウタケース５２に取り付けられている（図２１）。また、支持台６３の中央部にはアウタケース５２の幅方向に延びるスロット６４が形成されている。このスロット６４には可動刃６１がスロット６４に沿ってスライド可能に差し込まれている。
【００６９】
実施例Ｂ(9)のホルダ装置１の場合、引き出しシート５８はアウタケース５２の上面と支持台６３との間のギャップに挿通され、この状態で可動刃６１ｄがスライドさせられることで引き出しシート５８は切断される。
図２２に示される実施例Ｂ(10)のホルダ装置１はストッパ機構を更に備えている。このストッパ機構は、インナケース４２がアウタケース５２から引き出される際、インナケース４２がアウタケース５２から勢いよく引っ張り出されるのを防止する。詳しくは、図２２に示されるように、インナケース４２の下面４２ｄには断面三角の溝５５が複数形成されている。これら溝５５はインナケース４２の幅方向に延び、且つ、収容室４６間のピッチ間隔と等しい間隔を存してインナケース４２の長手方向に並んで配置されている。具体的には、溝５５は仕切り壁４４の中央に対応したインナケース４２の下面４２ｄに位置付けられている。一方、アウタケース５２の開口端近傍にはその内底面５２ｂに断面三角の凸部６５が形成されている。この凸部６５はインナケース４２の１つの溝５５に係合可能であり、アウタケース５２の幅方向に延びている。
【００７０】
インナケース４２がアウタケース５２に完全に収容されている場合、インナケース４２の外端面４２ａに隣接する溝５５とアウタケース５２の凸部６５とが互いに噛み合うように係合している。この状態から、引き出しシート５８が引き剥がされ、インナケース４２がその引出し方向への力を受けることで、インナケース４２の溝５５とアウタケース５２の凸部６５との係合が解除され、インナケース４２がアウタケース５２から引き出される。そして、１つの収容室４６が露出されたところで、インナケース４２の次の溝５５とアウタケース５２の凸部６５とが係合して、インナケース４２の引出し、つまり、そのスライドが制限される。
【００７１】
図２３に示される実施例Ｂ(11)のホルダ装置１は、その上面に引き出しシート５８が貼り付けられたインナケース４２に相当する収容ケース６６を備える。この場合であっても、ユーザは引き出しシート５８を剥がし、パウチ２を収容した所望の収容室４６を露出させることで、パウチ２を１つだけ収容ケース６６から取り出すことができる。実施例Ｂ(11)の収容ケース６６は、図１７〜図１９に示された実施例Ｂ(6)〜Ｂ(8)のホルダ装置１のインナケース４２、つまり、詰め替え用のインナケースとして使用することもできる。
【００７２】
図２４に示される実施例Ｂ(12)のホルダ装置１は、アウタケース５２の外側面に窓６７を有している。この窓６７はアウタケース５２の長手方向に延びる略長方形状を有している。このような窓６７が備えられていれば、インナケース４２の外側面が窓６７を通じて部分的に露出される。それ故、ユーザはインナケース４２をアウタケース５２から引き出す際、窓６７から露出されたインナケース４２の露出側面を指で押し付けながらインナケース４２をスライドさせることができる。
【００７３】
更に、図２４（Ａ）のホルダ装置１の場合、インナケース４２の露出側面には滑り止め６８が形成されている。この滑り止め６８は、例えば、エンボス加工により形成されている。このような滑り止め６８が備えられていれば、インナケース４２における露出側面の摩擦抵抗は増加するので、ユーザはインナケース４２を容易に引き出すことができる。
一方、図２４（Ｂ）のホルダ装置１は滑り止め６８に代えて、又は、滑り止め６８とともに、窓６７を通じて露出されるインナケース４２の外側面に目盛り６９を有する。この目盛り６９の数値は収容室４６の配置位置に合わせて付されている。詳しくは、インナケース４２がアウタケース５２から引き出された際、露出された収容室４６の数に対応する目盛り６９の数値はアウタケース５２の開口端側に位置した窓６７の開口縁と合致する。これにより、ユーザは目盛り６９の数値を読み取ることで、インナケース４２内のパウチ２の残数を把握することができる。
【００７４】
なお、上述した実施例Ｂのグループは何れも、収容室４６が上方に向けて開口したものとなっているが、これら収容室４６はインナケース４２の側方に向けて開口したものであってもよい。この場合、図１４及び図１５に示すアウタケース５２の開口部５４は、収容室４６に対応した方向にそれぞれ開口している。
また、実施例Ｂのグループにおけるインナケース４２及びアウタケース５２は無色透明の材料で形成されていてもよい。この場合、ユーザはインナケース４２をアウタケース５２から引き出すことなくホルダ装置１に収容されているパウチ２を確認することができる。
【００７５】
次に、実施例Ｃのグループに属する２段ボックス容器型のホルダ装置１について説明する。
図２５に示される実施例Ｃ(1)のホルダ装置１は、アッパケース７２とロアベース８２とを備えている。アッパケース７２及びロアベース８２は共に長尺なボックス形状をなし、合成樹脂から形成されている。そして、アッパケース７２及びロアベース８２は重ね合わされた状態で互いに結合されている。また、アッパケース７２はロアベース８２に対し、その長手方向に摺動可能である。
【００７６】
詳しくは、アッパケース７２はその下面のみにて開口し、その内部に多数の仕切り壁７４を備えている。これら仕切り壁７４はアッパケース７２内を横断し、且つ、アッパケース７２の長手方向に等間隔を存して配置されている。従って、これら仕切り壁７４はアッパケース７２内に複数の収容室７５を区画している。これら収容室７５はアッパケース７２の開口面側からアクセス可能であるとともに、個々にパウチ２を収容可能な大きさを有している。更に、この収容室７５内、即ち、アッパケース７２の天井面７２ｓ、内側面７２ｉ及び仕切り壁７４の表面全域にはそれぞれ防水剤４０及び食品香料１００が塗布されている。
【００７７】
また、アッパケース７２の開口した下面全域はアッパケース７２の両側縁を残して、１枚の引き出しシート７６によって覆われている。この引き出しシート７６は個々の収容室７５の底を形成している。また、引き出しシート７６の先端は引き手７７として形成されている。
一方、ロアベース８２の一端部には取り出し室８３が形成されている。この取り出し室８３は、ロアベース８２の上面のみにて開口し、収容室７５と略等しい大きさ、即ち、パウチ２を１つのみ収容可能な大きさを有する。また、ロアベース８２には、取り出し室８３の近傍にスリット８４が形成されている。このスリット８４はロアベース８２を鉛直方向に貫通し、且つ、ロアベース８２の幅方向に延びている。即ち、スリット８４は引き出しシート７６の挿通を許容する長さ及び幅を有する。それ故、図２５（Ａ）に示されるように、引き手７７を有する引き出しシート７６の先端部はスリット８４を通じてロアベース８２の下方に引き出されている。
【００７８】
アッパケース７２とロアベース８２がそれぞれの両端を合わせて互いに重ね合わされているとき、ロアベース８２の取り出し室８３はアッパケース７２の一端部によって閉塞されている。
この状態から、ユーザが引き出しシート７６の引き手７７を下方に引っ張ると、アッパケース７２の下面から引き出しシート７６が引き剥がされながら、アッパケース７２はロアベース８２に対して一方向にスライドする。それ故、図２５（Ｂ）に示されるように、アッパケース７２の収容室７５がロアベース８２の取り出し室８３に合致した時点にて、収容室７５と取り出し室８３との間から引き出しシート７６が取り除かれ、この結果、収容室７５の底が開かれる。このとき、その収容室７５内にパウチ２が収容されていれば、このパウチ２は収容室７５から取り出し室８３内に落ちる。更に、図２５（Ｃ）に示されるように、アッパケース７２が逆方向にスライドされると、取り出し室８３が露出され、ユーザは取り出し室８３内のパウチ２を取り出すことができる。なお、アッパケース７２が逆方向にスライドされるとき、引き出しシート７６はアッパケース７２の下面に再び貼り付けられ、開放された収容室７５を再び閉じる。
【００７９】
実施例Ｃ(1)に示されるホルダ装置１であっても、パウチ２は収容室７５に個々に収容されており、そして、取り出し室８３はパウチ２を１つのみ収容可能である。したがって、ユーザは、収容室７５と取り出し室８３とが合致されるべくアッパケース７２をロアベース８２に対してスライドさせるだけで、パウチ２を取り出すことができる。
また、この収容室７５内、即ち、アッパケース７２の天井面７２ｓ、内側面７２ｉ及び仕切り壁７４の表面全域にはそれぞれ防水剤４０が塗布されているので、パウチ２に染み出しが発生しても、この染み出しが仕切り壁７４に染み込んで他の収容室７５に配置されている他のパウチ２に付着することがない。
【００８０】
図２６及び図２７に示される実施例Ｃ(2)のホルダ装置１は、引き出しシート７６のリール機構８５を更に備える。
このリール機構８５は、ロアベース８２に前述したスリット８４に代えて溝８８を備えている。この溝８８はロアベース８２の上面に開口する一方、ロアベース８２の幅方向に延びている。溝８８内にはガイドローラ８９が回転自在に配置されており、このガイドローラ８９はロアベース８２の幅方向に延びている。詳しくは、ガイドローラ８９は取り出し室８３に隣接し、且つ、その頂部が溝８８の開口面、即ち、ロアベース８２の上面とほぼ同一レベルとなるように位置付けられている。
【００８１】
更に、溝８８内にはリール８６が回転自在に配置されている。このリール８６は、ガイドローラ８９の下方に位置付けられ、ガイドローラ８９と平行に延びている。一方、ロアベース８２の両側壁の外面には凹所８０がそれぞれ形成されている。リール８６のリール軸はその両端がロアベース８２の両側壁を回転自在に貫通し、対応する凹所８０内に突出している。また、リール軸の両端には円形のノブ８７がそれぞれ取り付けられており、これらノブ８７は凹所８０内に回転可能に配置されている。ここで、ノブ８７はロアベース８２の上面及び側面から突出せず、ロアベース８２の下面からのみ僅かに突出している。
【００８２】
そして、引き出しシート７６の先端はガイドローラ８９を介してリール８６まで導かれ、このリール８６に固定されている。それ故、ノブ８７がリール８６とともに一方向に回転されると、引き出しシート７６はリール８６に巻き付けられる。ここでの引き出しシート７６の巻き付けは、アッパケース７２の下面から引き出しシート７６を引き剥がしながら、ロアベース８２に対してアッパケース７２をスライドさせる。この結果、取り出し室８３に合致した収容室７５から引き出しシート７６が取り除かれ、収容室７５は取り出し室８３に開放され、収容室７５から取り出し室８３内にパウチ２を落とし入れることができる。
【００８３】
なお、アッパケース７２が逆向きにスライドされると、リール８６から引き出しシート７６が送出され、引き出しシート７６は開放された収容室７５を再び閉じる。
実施例Ｃ(1)及び(2)のホルダ装置１は、図２８に示されるように、アウタケース７０を更に備えることができる。このアウタケース７０は開口した両端を有し、アッパケース７２及びロアベース８２を共に収容可能である。この場合、アウタケース７０の底面にはロアベース８２のスリット８４と同様なスリット（図示しない）が形成されている。即ち、このスリットからは、引き手７７を有する引き出しシート７６の先端部がアウタケース７０の下方に向けて引き出されている。
【００８４】
更に、実施例Ｃ(1)及び(2)のホルダ装置１の場合、図２９に示されるように、アッパケース７２はロアベース８２を保持することができる。詳しくは、アッパケース７２はロアベース８２より広い幅を有する一方、その両側壁に下方に向けて延長された延長壁部位７２ａを有する。これら延長壁部位７２ａの下端は互いに向けてそれぞれ折り曲げられ、ロアベース８２のための保持ラック７２ｂとして形成されている。アッパケース７２の下面、延長壁部位７２ａ及び保持ラック７２ｂは互いに協働して保持室７１を形成している。この保持室７１は下方及び両端側に開口され、ロアベース８２を収容可能な大きさを有している。
【００８５】
それ故、保持室７１内にロアベース８２が収容されたとき、ロアベース８２は保持ラック７２ｂを介してアッパケース７２に保持される。この場合、ロアベース８２はアッパケース７２に対する鉛直方向及び幅方向の移動を制限される。
なお、前述した実施例Ｃ(1)及び(2)のホルダ装置１におけるアッパケース７２及びアウタケース７０は無色透明の合成樹脂材料で形成されていてもよい。この場合、ユーザはアッパケース７２をスライドさせることなく、アッパケース７２内のパウチ２の残数を確認することができる。
【００８６】
次に、実施例Ｄのグループに属するプレート型のホルダ装置１について説明する。
図３０に示される実施例Ｄ(1)のホルダ装置１は、板部材からなる２枚の収容板９２を備える。これら収容板９２はヒンジ９３を介して互いに結合され、互いに重なり合うように折り畳み可能である。なお、これら収容板９２の表面全域には防水剤４０及び食品香料１００が塗布されている。
【００８７】
各収容板９２の内面にはインナカバー９４が設けられ、このインナカバー９４はヒンジ９３とは反対側の収容板９２の外側縁に沿って延びている。インナカバー９４と収容板９２の内面との間には多数の仕切りリブ９５によって所定の間隔が確保されており、これら仕切りリブ９５はインナカバー９４の長手方向に沿い等間隔を有して配置されている。即ち、インナカバー９４及び仕切りリブ９５は収容板９２の内面と協働してインナカバー９４の長手方向に並ぶ多数のポケット９６を形成する。これらポケット９６はヒンジ９３に向けて開口し、パウチ２を一部露出させた状態、即ち、パウチ２を指で摘むことができる程度に露出させた状態で個々に受け入れ可能となっている。また、ポケット９６内、即ち、インナカバー９４の内面及び仕切りリブ９５の表面もまた収容板９２と同様に防水剤及び食品香料が塗布されている（図示しない）。
【００８８】
なお、２枚の収容板９２が折り畳まれたとき、これら収容板９２のインナカバー９４が互いに重なり合うので、各収容板９２のポケット９６に収容されたパウチ２間には少なくとも２枚分のインナカバー９４の厚さに相当する隙間が確保されるとともに、上述のように、パウチ２の露出部分は小さいので、一方の収容板９２側のパウチ２が他方の収容板９２側のパウチ２に接触し難くなっている。
【００８９】
図３１に示される実施例Ｄ(2)の収容板９２は、ポケット９６に代えてスリット９８を備えている。
具体的には、収容板９２の上面には、その表面全域に防水剤４０及び食品香料１００が塗布された台紙９７が載置され、この台紙９７はその外周縁のみにて収容板９２に貼り付けられている。台紙９７には収容板９２の長手方向に延びる複数のスリット９８が形成されており、収容板９２の幅方向に隣接する２本のスリット９８によりスリット対が形成されている。
【００９０】
このようなスリット対を備えていれば、パウチ２ａの両端部をスリット対の各スリット９８を通じて台紙９７と収容板９２と間にそれぞれ差し込むことで、パウチ２ａの両端部を収容板９２と台紙９７との間に挟みこんで保持することができる。また、パウチ２ｂの一端をスリット対の一方のスリット９８から差し込み、そして、他方のスリット９８から引き出すことで、パウチ２ｂの中央部を収容板９２と台紙９７との間に挟みこんで保持することができる。更には、保持力が十分に担保される場合には、スリット９８にパウチ２ｃの一端部のみを差し込むだけでも、台紙９７と収容板９２との間にてパウチ２ｃを保持可能である。なお、収容板９２は包材９９により包み込まれており、この包材９９としては、例えば、アルミ蒸着フィルムが挙げられる。
【００９１】
また、図３２に示される実施例Ｄ(3)のように、図３１で示した実施例Ｄ(2)と同様の台紙９７を収容板９２に貼り付けることなく、即ち、台紙９７のみでパウチ２を保持してもよい。この場合であっても、図３１に示されるようにパウチ２の両端部、中央部又は一端部のみを差し込み可能である。更に、この台紙９７を包材９９により包み込み可能であることは言うまでもない。
【００９２】
図３３に示される実施例Ｄ(4)の場合、パウチ２は収容板９２の上面に互いに離間した状態で、例えば糊等の接着剤により分離可能に接着されている。また、パウチ２が接着された収容板９２は包材９９により包み込まれている。
上述した実施例Ｄのグループのホルダ装置１はそれぞれ、パウチ２を互いに接触させることなく保持するポケット９６、スリット９８及び接着剤を備えているので、パウチ２は互いに独立して配置される。それ故、ユーザは、他のパウチ２に触れることなく所望のパウチ２を取り出すことができる。また、ホルダ装置１が揺れても、１つのパウチ２が他のパウチ２と接触することはない。更に、収容板９２及び台紙９７の表面全域や、ポケット９６内、即ち、インナカバー９４の内面及び仕切りリブ９５の表面にはそれぞれ防水剤４０が塗布されているので、１つのパウチ２の表面にたばこ成分の染み出しが生じても、この染み出しが他のパウチ２に移ることもない。なお、収容板９２、インナカバー９４、台紙９７及び包材９９は無色透明な材料で形成されていてもよい。
【００９３】
本発明は上述した一実施例に制約されるものではなく、種々の変形が可能である。
例えば、図１、図３、図４、図５及び図９に示される実施例Ａのグループに属する円筒容器型のホルダ装置１には１２枚の仕切り壁６が配置されているが、仕切り壁６の数はこれに限ることなく、ホルダ装置１に収容されるパウチ２の数に合わせて任意に配置可能である。
【００９４】
同様に、図１２、図１４〜図１９、図２２及び図２３に示される実施例Ｂのグループに属するボックス容器型のホルダ装置１の仕切り壁４４も任意に配置可能である。
また、図２５及び図２６に示される実施例Ｃのグループに属する２段ボックス容器型のホルダ装置１の仕切り壁７４もまた任意に配置可能である。
更に、図３０〜図３３に示される実施例Ｄのグループに属するプレート型のホルダ装置１においても同様に、ポケット９６及びスリット９８の数を任意に設定可能である。
【００９５】
また、ホルダ装置１に収容されるパウチ２は口腔用たばこに限らず如何なる口腔用製品であってもよい。
また、口腔用製品は不織布等に包装されていなくてもよい。
【符号の説明】
【００９６】
１                ホルダ装置
２                パウチ（口腔用製品）
４                収容ケース
５                ケースボディ
５ａ              外周面
５ｂ              内周面
５ｃ              内底面
５ｄ              天板
５ｉ              周壁
６                仕切り壁
７                収容室
９                一時収容室
９ｉ              内周壁
１０              カバー
１０ａ            内周面
１０ｉ            周壁
１０ｕ            上面
１２ａ、１２ｂ、１２ｃ、１２ｄ、１２ｅ  開口部
１４              開閉シール
１６、１８        爪
１６ａ、１８ａ    垂直面
１６ｂ、１８ｂ    傾斜面
２０              環状スペース
２２              引き出しシート（シール要素）
２２ａ            引き手
２４              引き出しスロット
２６              刃
３０              リッド
３２              切り欠き
３４              カッタ
３６、３８        開閉シール
４０              防水剤
４２              インナケース
４２ａ、４３ａ    外端面
４２ｂ            内端面
４２ｃ            内底面
４２ｄ            下面
４２ｉ            内側面
４３ｌ、４３ｕ    インナケース
４４              仕切り壁
４６              収容室
４８              取手
５０              ストッパ機構
５０ａ、５０ｂ    係合部
５２              アウタケース
５２ｂ            底面
５４              開口部
５５              溝
５６、５７        開閉シール
５８              引き出しシート
５９              引き手
６０ａ、６０ｂ、６０ｃ  カッタ
６１              可動刃
６２              ヒンジ
６３              支持台
６４              スロット
６５              凸部
６６              収容ケース
６７              窓
６８              滑り止め
６９              目盛り
７０              アウタケース
７１              保持室
７２              アッパケース
７２ａ            延長壁部分
７２ｂ            保持ラック
７２ｉ            内側面
７２ｓ            天井面
７４              仕切り壁
７５              収容室
７６              引き出しシート
７７              引き手
８０              凹所
８２              ロアベース
８３              取り出し室
８４              スリット
８５              リール機構
８６              リール
８７              ノブ
８８              溝
８９              ガイドローラ
９２              収容板
９３              ヒンジ
９４              インナカバー
９５              仕切りリブ
９６              ポケット
９７              台紙
９８              スリット
９９              包材
１００            食品香料
【図１】
2011108385.tif 000003
【図２】
2011108385.tif 000004
【図３】
2011108385.tif 000005
【図４】
2011108385.tif 000006
【図５】
2011108385.tif 000007
【図６】
2011108385.tif 000008
【図７】
2011108385.tif 000009
【図８】
2011108385.tif 000010
【図９】
2011108385.tif 000011
【図１０】
2011108385.tif 000012
【図１１】
2011108385.tif 000013
【図１２】
2011108385.tif 000014
【図１３】
2011108385.tif 000015
【図１４】
2011108385.tif 000016
【図１５】
2011108385.tif 000017
【図１６】
2011108385.tif 000018
【図１７】
2011108385.tif 000019
【図１８】
2011108385.tif 000020
【図１９】
2011108385.tif 000021
【図２０】
2011108385.tif 000022
【図２１】
2011108385.tif 000023
【図２２】
2011108385.tif 000024
【図２３】
2011108385.tif 000025
【図２４】
2011108385.tif 000026
【図２５】
2011108385.tif 000027
【図２６】
2011108385.tif 000028
【図２７】
2011108385.tif 000029
【図２８】
2011108385.tif 000030
【図２９】
2011108385.tif 000031
【図３０】
2011108385.tif 000032
【図３１】
2011108385.tif 000033
【図３２】
2011108385.tif 000034
【図３３】
2011108385.tif 000035
【国際調査報告】
2011108385.tif 000036
2011108385.tif 000037
2011108385.tif 000038